(57)【要約】      （修正有）【課題】長期に亘って使用することができる猫用爪とぎ器等を提供する。【解決手段】猫用爪とぎ器１は、猫が爪をとぐことが可能な爪とぎ面１１を両面に有する複数の爪とぎ部材１０と、複数の爪とぎ部材の内の一の爪とぎ部材１０を収容する底部ケース２１と、底部ケース２１と交差する方向に配置され、複数の爪とぎ部材１０の内の他の爪とぎ部材１０を出し入れ可能に開閉するとともに他の爪とぎ部材１０を収容した状態で爪とぎ面１１を露出させる上側壁部ケース２２と、を備える。【選択図】図１
2020103065.tif 000002
【特許請求の範囲】
【請求項１】
猫が爪をとぐことが可能な爪とぎ面を両面に有する複数の爪とぎ部材と、
前記複数の爪とぎ部材の内の一の爪とぎ部材を収容する第１収容ケースと、
前記第１収容ケースと交差する方向に配置され、前記複数の爪とぎ部材の内の他の爪とぎ部材を出し入れ可能に開閉するとともに当該他の爪とぎ部材を収容した状態で前記爪とぎ面を露出させる第２収容ケースと、
を備える猫用爪とぎ器。
【請求項２】
前記第１収容ケースは、前記一の爪とぎ部材を出し入れ可能に開閉する
請求項１に記載の猫用爪とぎ器。
【請求項３】
前記複数の爪とぎ部材は、同じ形状であり、
前記第１収容ケースは、前記他の爪とぎ部材を出し入れ可能であるとともに、前記第２収容ケースは、前記一の爪とぎ部材を出し入れ可能である
請求項１又は２に記載の猫用爪とぎ器。
【請求項４】
前記第１収容ケースと交差する方向に前記第２収容ケースと連続して配置され、前記複数の爪とぎ部材の内の、前記一の爪とぎ部材及び前記他の爪とぎ部材とは異なるとともに当該一の爪とぎ部材と同じ形状の第３の爪とぎ部材を出し入れ可能に開閉する第３収容ケースと、
をさらに備える請求項３に記載の猫用爪とぎ器。
【請求項５】
前記第３収容ケースは、前記第３の爪とぎ部材の前記爪とぎ面を露出させない
請求項４に記載の猫用爪とぎ器。
【請求項６】
前記第２収容ケースは、前記第３収容ケースよりも上方に配置されている
請求項４又は５に記載の猫用爪とぎ器。
【請求項７】
前記第１収容ケースは、収容した前記一の爪とぎ部材の前記爪とぎ面を露出させる
請求項１〜６のいずれか１項に記載の猫用爪とぎ器。
【請求項８】
前記爪とぎ部材は、前記第２収容ケースへの出し入れ方向が短手方向となる長方形の板状の部材である
請求項１〜７のいずれか１項に記載の猫用爪とぎ器。
【請求項９】
前記爪とぎ部材の前記短手方向の面は、長手方向の面よりも滑らかである
請求項８に記載の猫用爪とぎ器。
【請求項１０】
猫が爪をとぐことが可能な爪とぎ面を有する複数の爪とぎ部材と、
前記複数の爪とぎ部材の内の一の爪とぎ部材を収容するとともに当該一の爪とぎ部材を出し入れ可能に開閉する第１収容ケースと、
前記第１収容ケースと交差する方向に配置され、前記複数の爪とぎ部材の内の他の爪とぎ部材を出し入れ可能に開閉するとともに当該他の爪とぎ部材を収容した状態で前記爪とぎ面を露出させる第２収容ケースと、
を備える猫用爪とぎ器。
【請求項１１】
猫が爪をとぐことが可能な爪とぎ面を両面に有する複数の爪とぎ部材と、
前記爪とぎ部材を収容する複数の収容ケースと、
前記複数の収容ケースの内の少なくとも２つの収容ケースが交差する方向に配置されるように接続する接続部材と、
を備え、
前記複数の収容ケースの内の少なくとも１つの収容ケースは、前記爪とぎ部材を出し入れ可能に開閉するとともに当該爪とぎ部材を収容した状態で前記爪とぎ面を露出させる
猫用爪とぎ器組立キット。
【請求項１２】
猫が爪をとぐことが可能な爪とぎ面を有し、猫用爪とぎ器に設けられた収容ケースに出し入れ可能な爪とぎ部材であって、
波状に加工した紙である波状紙と、当該波状紙における波の山部に接着した平板状の紙である平板状紙とからなるシートが、当該シートの厚さ方向に複数枚貼り合わされて構成され、前記爪とぎ面は、当該シートの厚さ方向が長手方向となる矩形状であり、当該爪とぎ面に直交する面であって短手方向の面は、当該爪とぎ面に直交する面であって当該長手方向の面よりも滑らかである
猫用爪とぎ部材。
【発明の詳細な説明】
【技術分野】
【０００１】
本発明は、猫用爪とぎ器、猫用爪とぎ器組立キット、猫用爪とぎ部材に関する。
【背景技術】
【０００２】
近年、猫が立ち上がった状態でも爪をとぐことを可能にした猫用爪とぎ器が提案されている。
例えば、特許文献１に記載された爪とぎボードは、第１爪とぎボードと第２爪とぎボードとから構成され、第１爪とぎボードは、第１ケースと、第１爪とぎ部と、を有し、第１ケースは収容空間を有し、第１爪とぎ部には、爪とぎ面が形成され、爪とぎ面は穴を有し、第１爪とぎ部は、第１ケースの収容空間に組付けられている。第２爪とぎボードは、第２ケースと、第２爪とぎ部と、を有し、第２ケースは収容空間を有し、第２爪とぎ部には、爪とぎ面が形成され、爪とぎ面は穴を有し、第２爪とぎ部は、第２ケースの収容空間に組付けられている。
【先行技術文献】
【特許文献】
【０００３】
【特許文献１】実用新案登録第３２１５６２３号公報
【発明の概要】
【発明が解決しようとする課題】
【０００４】
猫が爪とぎ面の穴に爪を入れて引っ掻くことで爪をとぐと、爪とぎ面が摩耗してしまう。そのため、長期に亘って使用することができる猫用爪とぎ器を提供することが望まれている。
本発明は、長期に亘って使用することができる猫用爪とぎ器等を提供することを目的とする。
【課題を解決するための手段】
【０００５】
かかる目的のもと完成させた本発明は、猫が爪をとぐことが可能な爪とぎ面を両面に有する複数の爪とぎ部材と、前記複数の爪とぎ部材の内の一の爪とぎ部材を収容する第１収容ケースと、前記第１収容ケースと交差する方向に配置され、前記複数の爪とぎ部材の内の他の爪とぎ部材を出し入れ可能に開閉するとともに当該他の爪とぎ部材を収容した状態で前記爪とぎ面を露出させる第２収容ケースと、を備える猫用爪とぎ器である。
ここで、前記第１収容ケースは、前記一の爪とぎ部材を出し入れ可能に開閉しても良い。
また、前記複数の爪とぎ部材は、同じ形状であり、前記第１収容ケースは、前記他の爪とぎ部材を出し入れ可能であるとともに、前記第２収容ケースは、前記一の爪とぎ部材を出し入れ可能であっても良い。
また、前記第１収容ケースと交差する方向に前記第２収容ケースと連続して配置され、前記複数の爪とぎ部材の内の、前記一の爪とぎ部材及び前記他の爪とぎ部材とは異なるとともに当該一の爪とぎ部材と同じ形状の第３の爪とぎ部材を出し入れ可能に開閉する第３収容ケースと、をさらに備えても良い。
また、前記第３収容ケースは、前記第３の爪とぎ部材の前記爪とぎ面を露出させなくても良い。
また、前記第２収容ケースは、前記第３収容ケースよりも上方に配置されていても良い。
また、前記第１収容ケースは、収容した前記一の爪とぎ部材の前記爪とぎ面を露出させても良い。
また、前記爪とぎ部材は、前記第２収容ケースへの出し入れ方向が短手方向となる長方形の板状の部材であっても良い。
また、前記爪とぎ部材の前記短手方向の面は、長手方向の面よりも滑らかであっても良い。
他の観点から捉えると、本発明は、猫が爪をとぐことが可能な爪とぎ面を有する複数の爪とぎ部材と、前記複数の爪とぎ部材の内の一の爪とぎ部材を収容するとともに当該一の爪とぎ部材を出し入れ可能に開閉する第１収容ケースと、前記第１収容ケースと交差する方向に配置され、前記複数の爪とぎ部材の内の他の爪とぎ部材を出し入れ可能に開閉するとともに当該他の爪とぎ部材を収容した状態で前記爪とぎ面を露出させる第２収容ケースと、を備える猫用爪とぎ器である。
また、他の観点から捉えると、本発明は、猫が爪をとぐことが可能な爪とぎ面を両面に有する複数の爪とぎ部材と、前記爪とぎ部材を収容する複数の収容ケースと、前記複数の収容ケースの内の少なくとも２つの収容ケースが交差する方向に配置されるように接続する接続部材と、を備え、前記複数の収容ケースの内の少なくとも１つの収容ケースは、前記爪とぎ部材を出し入れ可能に開閉するとともに当該爪とぎ部材を収容した状態で前記爪とぎ面を露出させる猫用爪とぎ器組立キットである。
また、他の観点から捉えると、本発明は、猫が爪をとぐことが可能な爪とぎ面を有し、猫用爪とぎ器に設けられた収容ケースに出し入れ可能な爪とぎ部材であって、波状に加工した紙である波状紙と、当該波状紙における波の山部に接着した平板状の紙である平板状紙とからなるシートが、当該シートの厚さ方向に複数枚貼り合わされて構成され、前記爪とぎ面は、当該シートの厚さ方向が長手方向となる矩形状であり、当該爪とぎ面に直交する面であって短手方向の面は、当該爪とぎ面に直交する面であって当該長手方向の面よりも滑らかである猫用爪とぎ部材である。
【発明の効果】
【０００６】
本発明によれば、長期に亘って使用することができる猫用爪とぎ器等を提供することができる。
【図面の簡単な説明】
【０００７】
【図１】第１の実施形態に係る猫用爪とぎ器の斜視図である。
【図２】第１の実施形態に係る猫用爪とぎ器の正面図である。
【図３】（ａ）は、爪とぎ部材の概略構成を示す図である。（ｂ）は、（ａ）のIIIb部の拡大図である。
【図４】底部ケース及び上側壁部ケースが開放された状態を示す図である。
【図５】右側底部接続部材の展開図の一例を示す図である。
【図６】壁部接続部材の展開図の一例を示す図である。
【図７】猫用爪とぎ器にて猫が爪をといでいる様子を示す図である。
【図８】猫用爪とぎ器組立キットの概略構成を示す図である。
【図９】第２の実施形態に係る猫用爪とぎ器の概略構成を示す図である。
【図１０】第３の実施形態に係る猫用爪とぎ器の概略構成を示す図である。
【発明を実施するための形態】
【０００８】
以下、添付図面を参照して、実施の形態について詳細に説明する。
＜第１の実施形態＞
図１は、第１の実施形態に係る猫用爪とぎ器１の斜視図である。
図２は、第１の実施形態に係る猫用爪とぎ器１の正面図である。
第１の実施形態に係る猫用爪とぎ器１は、猫が爪をとぐことが可能な爪とぎ面１１を有する爪とぎ部材１０を複数有するとともに、複数の爪とぎ部材１０の内の一の爪とぎ部材１０を収容可能な収容ケース２０を複数有する爪とぎ器である。また、各収容ケース２０は、爪とぎ部材１０を出し入れ可能に構成されている。
【０００９】
複数の収容ケース２０は、床面に略平行となるように配置される第１収容ケースの一例としての底部ケース２１、壁に略平行となるように上下に連続して配置される第２収容ケースの一例としての上側壁部ケース２２及び第３収容ケースの一例としての下側壁部ケース２３、である。底部ケース２１には、上面２１ａに、内部に収容した爪とぎ部材１０の爪とぎ面１１を露出させる露出孔２１ｂが形成されている。また、上側壁部ケース２２には、前面２２ａに、内部に収容した爪とぎ部材１０の爪とぎ面１１を露出させる露出孔２２ｂが形成されている。一方、下側壁部ケース２３には、爪とぎ部材１０の爪とぎ面１１を露出させるための孔は形成されておらず、爪とぎ部材１０の全周を覆っている。
【００１０】
底部ケース２１は、上側壁部ケース２２に形成された露出孔２２ｂから露出する爪とぎ面１１を正面に見た場合（図２に示した正面図で見た場合）に、上側壁部ケース２２の前側に配置されている。なお、この明細書の説明では、第１の実施形態に係る猫用爪とぎ器１の正面図を示した図２において、紙面の左側及び右側を、それぞれ猫用爪とぎ器１の左側及び右側と称する。また、図２において、紙面の上側及び下側を、それぞれ猫用爪とぎ器１の上側及び下側と称し、紙面の奥側及び前側を、それぞれ猫用爪とぎ器１の奥側及び前側と称する場合がある。
【００１１】
猫用爪とぎ器１は、底部ケース２１の後側において、下側壁部ケース２３が底部ケース２１に直交するように、底部ケース２１と下側壁部ケース２３とを接続する底部接続部材３０を有している。
また、猫用爪とぎ器１は、下側壁部ケース２３と上側壁部ケース２２とを直列的に接続する壁部接続部材６０を有している。
【００１２】
図３（ａ）は、爪とぎ部材１０の概略構成を示す図である。図３（ｂ）は、図３（ａ）のIIIb部の拡大図である。
爪とぎ部材１０は、爪とぎ面１１が正方形であり、爪とぎ面１１に直交する方向の長さ（高さ）が、爪とぎ面１１の１辺の長さよりも小さくなるように成形された直方体状の部材である。また、爪とぎ部材１０は、波状に加工した紙である波状紙１２ａと、波状紙１２ａにおける波の山部に接着した平板状の紙である平板状紙１２ｂとからなるシート１２が、シート１２の厚さ方向に複数枚貼り合わされたものである。そして、シート１２の厚さ方向の長さが、シート１２の波状紙１２ａにおける波の山部の並び方向の長さと同じになるように、複数枚のシート１２が貼り合わされている。言い換えれば、爪とぎ部材１０は、シート１２の厚さ方向の長さが予め定められた所定長さとなる分の枚数のシート１２が貼り合わされた後に、シート１２の波状紙１２ａにおける波の山部の並び方向の長さがこの所定長さとなるように切断されることで、成形されている。また、爪とぎ部材１０は、シート１２の厚さ方向及び波状紙１２ａにおける波の山部の並び方向に直交する方向である、爪とぎ面１１に直交する方向の長さ（高さ）が、予め定められた所定高さとなるように切断されることで、成形されている。
【００１３】
以上のように爪とぎ部材１０が構成されていることにより、爪とぎ部材１０における、直方体の６面の内の２面であって、シート１２の厚さ方向に直交する面は、平板状紙１２ｂの平面にて形成されている。また、爪とぎ部材１０における、直方体の６面の内の２面であって、シート１２の波状紙１２ａにおける波の山部の並び方向に直交する面は、シート１２の平板状紙１２ｂの端部である直線状の部位と、波状紙１２ａの端部である波の途中で切断された直線状の部位とが、シート１２の厚さ方向に交互に存在し、平板状紙１２ｂの端部と波状紙１２ａの端部との間に凹部１２ｃが形成されている。そして、爪とぎ部材１０における、直方体の６面の内の２面である爪とぎ面１１は、シート１２の平板状紙１２ｂの端部である直線状の部位と、波状紙１２ａの端部である波形状の部位とが、シート１２の厚さ方向に交互に存在する。これにより、爪とぎ部材１０の高さ方向（爪とぎ面１１に直交する方向）には、平板状紙１２ｂと波状紙１２ａとの間に、高さ方向に貫通する貫通孔１３が形成されている。
なお、図３（ａ）及び図３（ｂ）は、上側壁部ケース２２内に収容された爪とぎ部材１０を前方から見た斜視図であるが、後方から見た場合の形状も同じである。
【００１４】
図４は、底部ケース２１及び上側壁部ケース２２が開放された状態を示す図である。
底部ケース２１は、一般に用いられる紙よりも厚い厚紙、例えば板紙（ボール紙）にて成形されていることを例示することができる。
また、底部ケース２１は、一の爪とぎ部材１０を収容する空間を内部に有する直方体の部材である。例えば、底部ケース２１の内部空間の形状が、爪とぎ部材１０の形状と同じであることを例示することができる。
底部ケース２１における６面の内の１面である上面２１ａには、収容した爪とぎ部材１０の爪とぎ面１１を露出させる露出孔２１ｂが形成されている。露出孔２１ｂは、上面２１ａの中央部に、略正方形に形成されている。
【００１５】
また、底部ケース２１の前面２１ｃ（図１参照）は、爪とぎ部材１０を出し入れ可能に開閉するように形成されている。例えば、底部ケース２１は、前面２１ｃにおける内側に設けられた紙２１ｄの下部に形成された２つの孔２１ｅそれぞれに、前面２１ｃにおける外側に設けられた紙２１ｆの端部に設けられた２つの突出部２１ｇそれぞれが挿入されることで内部空間を閉じ、各突出部２１ｇが各孔２１ｆから引き抜かれることで内部空間を開放する。そして、内側に設けられた紙２１ｄが下面に略平行に、外側に設けられた紙２１ｆが上面に略平行にされることで（図４の状態）、爪とぎ部材１０の高さ以上の隙間となる開口部２１ｈが形成される。そして、この開口部２１ｈを介して、爪とぎ部材１０を内部空間から取り出すことが可能であるとともに、この開口部２１ｈを介して、爪とぎ部材１０を内部空間に挿入することが可能である。
【００１６】
上側壁部ケース２２は、底部ケース２１と同じ材質にて、同じ形状に形成された物であることを例示することができる。そして、上側壁部ケース２２においては、上面２２ｃ（図１参照）が、底部ケース２１の前面２１ｃと同じように、内部空間を開放可能に形成されている。つまり、内側に設けられた紙２２ｄが後面に略平行に、外側に設けられた紙２２ｆが前面２２ａに略平行にされることで（図４の状態）、爪とぎ部材１０の高さ以上の隙間となる開口部２２ｈが形成される。そして、この開口部２２ｈを介して、爪とぎ部材１０を内部空間から取り出すことが可能であるとともに、この開口部２２ｈを介して、爪とぎ部材１０を内部空間に挿入することが可能である。
また、上側壁部ケース２２の前面２２ａには、収容した爪とぎ部材１０の爪とぎ面１１を露出させる露出孔２２ｂが形成されている。露出孔２２ｂは、前面２２ａの中央部に、略正方形に形成されている。
【００１７】
下側壁部ケース２３は、上側壁部ケース２２と同じ材質にて、同じ形状に形成された物であることを例示することができる。ただし、下側壁部ケース２３は、上側壁部ケース２２とは異なり、爪とぎ部材１０の爪とぎ面１１を露出させる孔は形成されておらず、内部に収容した爪とぎ部材１０の全周を覆っている。
そして、下側壁部ケース２３においては、例えば下面（不図示）が、上側壁部ケース２２の上面２２ｃと同じように、内部空間を開放可能に形成されていることを例示することができる。つまり、下面において、内側に設けられた紙（不図示）が後面に略平行に、外側に設けられた紙（不図示）が前面に略平行にされることで、爪とぎ部材１０の高さ以上の隙間となる開口部（不図示）を形成する。そして、この開口部を介して、爪とぎ部材１０を内部空間から取り出すことが可能であるとともに、この開口部を介して、爪とぎ部材１０を内部空間に挿入することが可能となる。
【００１８】
底部接続部材３０は、図１に示すように、右側に配置される右側底部接続部材４０と、左側に配置される左側底部接続部材５０とを有している。
図５は、右側底部接続部材４０の展開図の一例を示す図である。
右側底部接続部材４０は、一般に用いられる紙よりも厚い厚紙、例えば板紙（ボール紙）にて成形された、５角形状である。５角形状を細かく分けると、左部に設けられた長方形状の左部長方形状部４１と、左部長方形状部４１の右側に設けられた三角形状の三角形状部４２と、左部長方形状部４１の右側であって三角形状部４２の下側に設けられた長方形状の右下長方形状部４３とから構成される。
【００１９】
左部長方形状部４１における左側端部と右側端部とには、それぞれ、上下方向が長手方向となるように長方形状の両面粘着シート４４、４５が貼られている。また、右下長方形状部４３には、長手方向が両面粘着シート４４に直交するように長方形状の両面粘着シート４６が貼られている。
以上のように構成された右側底部接続部材４０は、両面粘着シート４６の粘着面が底部ケース２１の右側の側面に、両面粘着シート４５の粘着面が下側壁部ケース２３の右側の側面に、両面粘着シート４４の粘着面が下側壁部ケース２３の後面に粘着されている。その際、左部長方形状部４１は、両面粘着シート４５の左側で、両面粘着シート４４と両面粘着シート４５とが直交するように直角に曲げられている。
この右側底部接続部材４０により、底部ケース２１と下側壁部ケース２３との右側の部位が連結される。
【００２０】
左側底部接続部材５０は、右側底部接続部材４０と同じ材質にて、右側底部接続部材４０と左右対称となるように形成されている。そして、この左側底部接続部材５０により、底部ケース２１と下側壁部ケース２３との左側の部位が連結される。
そして、これら右側底部接続部材４０及び左側底部接続部材５０により、底部ケース２１の後側において、下側壁部ケース２３が底部ケース２１に直交するように連結される。
【００２１】
図６は、壁部接続部材６０の展開図の一例を示す図である。
壁部接続部材６０は、一般に用いられる紙よりも厚い厚紙、例えば板紙（ボール紙）にて成形された、長方形状である。壁部接続部材６０における左側端部と右側端部とには、それぞれ、上下方向が長手方向となるように両面粘着シート６１、６２が貼られている。また、両面粘着シート６１と両面粘着シート６２との間には、上下方向が長手方向となるように、２つの両面粘着シート６３、６４が貼られている。
【００２２】
以上のように構成された壁部接続部材６０は、両面粘着シート６１の粘着面が、下側壁部ケース２３及び上側壁部ケース２２の左側の側面に、両面粘着シート６２の粘着面が、下側壁部ケース２３及び上側壁部ケース２２の右側の側面に粘着されている。また、２つの両面粘着シート６３、６４の粘着面が、下側壁部ケース２３及び上側壁部ケース２２の後面に粘着されている。
この壁部接続部材６０により、下側壁部ケース２３と上側壁部ケース２２とが連結される。
【００２３】
図７は、猫用爪とぎ器１にて猫が爪をといでいる様子を示す図である。
以上のように構成された猫用爪とぎ器１においては、猫が立った状態で、上側壁部ケース２２に収容された爪とぎ部材１０の爪とぎ面１１で爪をとぐことか可能である。つまり、猫は、爪とぎ部材１０に形成された貫通孔１３に爪の先端を入れて引っ掻くことで爪をとぐことができる。そして、猫用爪とぎ器１においては、上側壁部ケース２２に収容された爪とぎ部材１０の爪とぎ面１１は、その全てが露出しているのではなく、前面２２ａに形成された露出孔２２ｂの部分が露出しているのみで、露出孔２２ｂの周囲の部分は、上側壁部ケース２２の前面２２ａを構成する紙にて覆われている。それゆえ、猫が爪とぎ部材１０を引っ掻くことに起因して、爪とぎ部材１０に対して前方へ移動する方向の力が生じたとしても、この前面２２ａを構成する紙により、爪とぎ部材１０の前方への移動が抑制される。
【００２４】
また、猫用爪とぎ器１においては、上側壁部ケース２２の上面２２ｃに形成される開口部２２ｈ（図４参照）を介して、爪とぎ部材１０を出し入れ可能である。それゆえ、猫が、爪とぎ部材１０における一方の爪とぎ面１１で爪をとぐことでこの一方の爪とぎ面１１が摩耗し、爪をとぐことが困難になった場合には、ユーザは、上側壁部ケース２２の開口部２２ｈを介して、爪とぎ部材１０を取り出すとともに、他方の爪とぎ面１１の一部が露出孔２２ｂから露出するように前後反転して再度上側壁部ケース２２内に挿入することができる。その結果、例えば、一つの面しか爪をとぐことができない構成に比べて、少なくとも２倍の期間長く使用することができる。
【００２５】
さらに、猫用爪とぎ器１においては、底部ケース２１内にも爪とぎ部材１０が収容されており、開口部２１ｈ（図４参照）を介して、爪とぎ部材１０を出し入れ可能である。それゆえ、上側壁部ケース２２に収容された爪とぎ部材１０の両側の爪とぎ面１１が摩耗した場合には、底部ケース２１内に収容されていた爪とぎ部材１０と、上側壁部ケース２２内に収容されていた爪とぎ部材１０とを交換することで、さらに長期間に亘って使用することができる。
【００２６】
さらに、猫用爪とぎ器１においては、下側壁部ケース２３内にも爪とぎ部材１０が収容されており、下面に形成される開口部（不図示）を介して、爪とぎ部材１０を出し入れ可能である。それゆえ、上側壁部ケース２２に収容された爪とぎ部材１０の両側の爪とぎ面１１が摩耗した場合には、下側壁部ケース２３内に収容されていた爪とぎ部材１０と、上側壁部ケース２２内に収容されていた爪とぎ部材１０とを交換することで、さらに長期間に亘って使用することができる。
【００２７】
なお、図７に示すように、通常、猫は立った状態で爪をとぐと考えられている。そこで、第１の実施形態に係る猫用爪とぎ器１においては、上側壁部ケース２２よりも床面に近い位置にある下側壁部ケース２３から、爪とぎ部材１０の爪とぎ面１１を露出させないように構成し、露出させることに起因して爪とぎ部材１０が劣化することを抑制している。また、下側壁部ケース２３の前面に意匠を施せるように構成している。しかしながら、かかる態様に限定されない。上側壁部ケース２２の露出孔２２ｂのように、下側壁部ケース２３に、内部に収容された爪とぎ部材１０の爪とぎ面１１を露出させる孔を形成しても良い。これにより、立った状態で、上側壁部ケース２２から露出した爪とぎ面１１には前足の爪が届かないほどの大きさの猫にも、下側壁部ケース２３の内部に収容された爪とぎ部材１０の爪とぎ面１１にて爪とぎを行えるようにすることができる。
【００２８】
また、第１の実施形態に係る猫用爪とぎ器１においては、底部ケース２１の上面２１ａに露出孔２１ｂを形成し、爪とぎ部材１０の爪とぎ面１１を露出させているので、猫が立った状態で爪をとぐ際に踏ん張ることができる。なお、底部ケース２１の上面２１ａに露出孔２１ｂを形成する代わりに、上面２１ａ自体に凹凸を設けて踏ん張り易くしたり、上面２１ａに凹凸のあるシートを貼ることで踏ん張り易くしたりしても良い。
【００２９】
また、第１の実施形態に係る猫用爪とぎ器１においては、底部ケース２１と、上側壁部ケース２２及び下側壁部ケース２３とは直交するように配置されているが、特にかかる態様に限定されない。底部ケース２１と、上側壁部ケース２２及び下側壁部ケース２３とは交差する方向であれば良く、例えば、上側壁部ケース２２及び下側壁部ケース２３が、底部ケース２１（床面）に対して、０度より大きく９０度より小さい角度で傾斜していても良い。
【００３０】
（猫用爪とぎ器組立キット）
図８は、猫用爪とぎ器組立キット１００の概略構成を示す図である。
猫用爪とぎ器組立キット１００は、第１の実施形態に係る猫用爪とぎ器１が有する、３つの爪とぎ部材１０と、露出孔（例えば露出孔２１ｂ、露出孔２２ｂ）が形成された２つの収容ケース２０（例えば底部ケース２１、上側壁部ケース２２）と、露出孔が形成されていない１つの収容ケース２０（例えば下側壁部ケース２３）と、右側底部接続部材４０と、左側底部接続部材５０と、壁部接続部材６０とを有している。右側底部接続部材４０、左側底部接続部材５０及び壁部接続部材６０は、それぞれが有する両面粘着シート（例えば両面粘着シート４４等）に剥離紙が貼られた状態である。そして、この猫用爪とぎ器組立キット１００を購入した者は、右側底部接続部材４０、左側底部接続部材５０及び壁部接続部材６０を、それぞれの両面粘着シートの剥離紙を剥がして、収容ケース２０における上述した部位に貼ることで、図１に示した状態の猫用爪とぎ器１を完成させることができる。この猫用爪とぎ器組立キット１００によれば、猫用爪とぎ器１の状態よりも、コンパクトであるので、搬送したり保管したりすることが容易である。
【００３１】
＜第２の実施形態＞
図９は、第２の実施形態に係る猫用爪とぎ器２の概略構成を示す図である。
第２の実施形態に係る猫用爪とぎ器２は、第１の実施形態に係る猫用爪とぎ器１に対して、下側壁部ケース２３及び壁部接続部材６０を備えていない点が異なる。以下、猫用爪とぎ器１と異なる点について説明する。猫用爪とぎ器２と猫用爪とぎ器１とで、同じ形状、機能を有する部位については同じ符号を付し、その詳細な説明は省略する。
【００３２】
第２の実施形態に係る猫用爪とぎ器２は、２つの爪とぎ部材１０と、露出孔２１ｂが形成された底部ケース２１と、第１の実施形態に係る上側壁部ケース２２と同様の露出孔２４ｂが形成された壁部ケース２４と、右側底部接続部材４０と、左側底部接続部材５０とを有している。
右側底部接続部材４０は、両面粘着シート４６の粘着面が底部ケース２１の右側の側面に、両面粘着シート４５の粘着面が壁部ケース２４の右側の側面に、両面粘着シート４４の粘着面が壁部ケース２４の後面に粘着されている。この右側底部接続部材４０により、底部ケース２１と壁部ケース２４との右側の部位が連結される。また、左側底部接続部材５０により、底部ケース２１と壁部ケース２４との左側の部位が連結される。
そして、これら右側底部接続部材４０及び左側底部接続部材５０により、底部ケース２１の後側において、壁部ケース２４が底部ケース２１に直交するように連結される。
【００３３】
以上のように構成された猫用爪とぎ器２においては、猫が小さい場合には、猫が立った状態で、壁部ケース２４に収容された爪とぎ部材１０の爪とぎ面１１で爪をとぐことか可能である。また、猫用爪とぎ器２においても、壁部ケース２４の上面２４ｃに形成される開口部（不図示）を介して、爪とぎ部材１０を出し入れ可能である。それゆえ、爪とぎ部材１０における一方の爪とぎ面１１が摩耗した場合には、ユーザは、壁部ケース２４の開口部を介して、爪とぎ部材１０を取り出すとともに、他方の爪とぎ面１１の一部が露出孔２４ｂから露出するように前後反転して再度壁部ケース２４内に挿入することができるので、長期間に亘って使用することができる。さらに、壁部ケース２４に収容された爪とぎ部材１０の両側の爪とぎ面１１が摩耗した場合には、底部ケース２１内に収容されていた爪とぎ部材１０と、上側壁部ケース２２内に収容されていた爪とぎ部材１０とを交換することで、さらに長期間に亘って使用することができる。
【００３４】
（猫用爪とぎ器組立キット）
また、第２の実施形態に係る猫用爪とぎ器２を実現する猫用爪とぎ器組立キット（不図示）は、猫用爪とぎ器２が有する、２つの爪とぎ部材１０と、露出孔２１ｂが形成された底部ケース２１と、露出孔２４ｂが形成された壁部ケース２４と、右側底部接続部材４０と、左側底部接続部材５０とを有していると良い。右側底部接続部材４０及び左側底部接続部材５０は、それぞれが有する両面粘着シート（例えば両面粘着シート４４等）に剥離紙が貼られた状態である。そして、この猫用爪とぎ器組立キットを購入した者は、右側底部接続部材４０及び左側底部接続部材５０を、それぞれの両面粘着シートの剥離紙を剥がして、底部ケース２１、壁部ケース２４における上述した部位に貼ることで、図９に示した状態の猫用爪とぎ器２を完成させることができる。
【００３５】
＜第３の実施形態＞
図１０は、第３の実施形態に係る猫用爪とぎ器３の概略構成を示す図である。
第３の実施形態に係る猫用爪とぎ器３は、第１の実施形態に係る猫用爪とぎ器１に対して、爪とぎ部材１０に相当する爪とぎ部材３１０が異なり、爪とぎ面１１に相当する爪とぎ面３１１が長方形となるように直方体状に成形されている。以下、猫用爪とぎ器１と異なる点について説明する。猫用爪とぎ器３と猫用爪とぎ器１とで、同じ形状、機能を有する部位については同じ符号を付し、その詳細な説明は省略する。
【００３６】
第３の実施形態に係る爪とぎ部材３１０は、シート１２の厚さ方向の長さが、シート１２の波状紙１２ａにおける波の山部の並び方向の長さよりも大きく、爪とぎ面３１１に直交する方向の長さ（高さ）が、波状紙１２ａにおける波の山部の並び方向の長さよりも小さくなるように成形された直方体状である。
そして、猫用爪とぎ器３においては、第１の実施形態に係る猫用爪とぎ器１の底部ケース２１、上側壁部ケース２２及び下側壁部ケース２３にそれぞれ相当する、底部ケース３２１、上側壁部ケース３２２及び下側壁部ケース３２３は、内部空間に爪とぎ部材３１０を収容可能なように直方体状に成形されている。そして、底部ケース３２１、上側壁部ケース３２２に、それぞれ長方形状の露出孔３２１ｂ、露出孔３２２ｂが形成されている。
【００３７】
以上のように構成された猫用爪とぎ器３においては、第１の実施形態に係る猫用爪とぎ器１が奏する効果に加えて、以下の効果を奏することが可能である。すなわち、爪とぎ部材３１０に着目すると、シート１２（図３（ｂ）参照）の波状紙１２ａ（図３（ｂ）参照）における波の山部の並び方向が上下方向、シート１２の厚さ方向が左右方向となるように配置されていることが望ましい。これは、猫が上下方向に爪を移動させて爪をとぐ際に、貫通孔１３（図３（ｂ）参照）を形成する平板状紙１２ｂ（図３（ｂ）参照）に爪をあてて引っ掻くことよりも、貫通孔１３を形成する波状紙１２ａに爪をあてて引っ掻くことを好むと考えられるからである。それゆえ、爪とぎ部材３１０を直方体状に成形して方向性を持たせることにより、爪とぎ部材３１０が上側壁部ケース３２２に挿入される際に誤った方向に挿入されることを抑制することができる。また、爪とぎ部材３１０の上側壁部ケース３２２への挿入方向の距離が短くなるので、挿入し易くなる。
【００３８】
また、以上のように構成された猫用爪とぎ器３を、図８を用いて説明した猫用爪とぎ器組立キット１００と同様に、３つの爪とぎ部材３１０と、底部ケース３２１と、上側壁部ケース３２２と、下側壁部ケース３２３と、右側底部接続部材４０と、左側底部接続部材５０と、壁部接続部材６０とを有する猫用爪とぎ器組立キットとすることで、搬送したり保管したりすることを容易にすることができる。
【００３９】
また、以上のように構成された第３の実施形態に係る爪とぎ部材３１０は、猫が爪をとぐことが可能な爪とぎ面３１１を有し、猫用爪とぎ器３に設けられた上側壁部ケース３２２に出し入れ可能な爪とぎ部材３１０であって、波状に加工した紙である波状紙１２ａと、波状紙１２ａにおける波の山部に接着した平板状の紙である平板状紙１２ｂとからなるシート１２が、シート１２の厚さ方向に複数枚貼り合わされて構成されている。そして、爪とぎ面３１１は、シート１２の厚さ方向が長手方向となる矩形状であり、爪とぎ面３１１に直交する面であって短手方向の面は、爪とぎ面３１１に直交する面であって長手方向の面よりも滑らかである。これにより、爪とぎ部材３１０を上側壁部ケース３２２等の収容ケースに挿入する際に、滑らかな方の面である、爪とぎ面３１１に直交する面であって長手方向の面が、収容ケースの内面と接触するので、爪とぎ部材３１０を挿入し易くなる。そして、この爪とぎ部材３１０を、猫用爪とぎ器３を購入した者に提供することで、底部ケース３２１等の収容ケースを交換することなく爪とぎ部材３１０を交換することができるので、猫用爪とぎ器３をさらに長期に亘って使用してもらうことができる。
【００４０】
同様に、直方体状の爪とぎ部材３１０を第２の実施形態に係る猫用爪とぎ器２に適用しても良い。すなわち、２つの爪とぎ部材３１０と、底部ケース３２１と、上側壁部ケース３２２に相当する壁部ケース（不図示）とを有していると良い。
【００４１】
なお、上述した爪とぎ部材３１０は、シート１２の厚さ方向の長さが、シート１２の波状紙１２ａにおける波の山部の並び方向の長さよりも大きいが、特にかかる態様に限定されない。逆に、波状紙１２ａにおける波の山部の並び方向の長さが、シート１２の厚さ方向の長さよりも大きく、上下方向の長さが左右方向の長さよりも大きくても良い。かかる態様であっても、爪とぎ部材３１０が上側壁部ケース３２２に挿入される際に誤った方向に挿入されることを抑制することができる。
【符号の説明】
【００４２】
１，２，３…猫用爪とぎ器、１０，３１０…爪とぎ部材、２０…収容ケース、２１，３２１…底部ケース、２２，３２２…上側壁部ケース、２３，３２３…下側壁部ケース、２４…壁部ケース、３０…底部接続部材、４０…右側底部接続部材、５０…左側底部接続部材、６０…壁部接続部材
【図１】
2020103065.tif 000003
【図２】
2020103065.tif 000004
【図３】
2020103065.tif 000005
【図４】
2020103065.tif 000006
【図５】
2020103065.tif 000007
【図６】
2020103065.tif 000008
【図７】
2020103065.tif 000009
【図８】
2020103065.tif 000010
【図９】
2020103065.tif 000011
【図１０】
2020103065.tif 000012